(57)【特許請求の範囲】
【請求項１】
記録媒体に画像を記録する記録部と、
前記記録部によって記録が行われる記録位置を通るように記録媒体を搬送方向に搬送する搬送部と、
前記搬送部によって搬送された記録媒体が排出される排出部であって、排出された記録媒体を支持する支持面を有する支持部材、及び、前記支持面よりも前記搬送方向の下流側に配置されており、前記支持面に支持される記録媒体における前記搬送方向の下流側端部に当接すると共に、上端が前記支持部材よりも上方に位置する当接部材であって、記録媒体のサイズに応じて前記搬送方向に関して互いに異なる第１当接位置を含む複数の当接位置に配置可能な当接部材、を有する排出部と、
前記第１当接位置に対向して配置された第１個別光源を含む、前記当接部材を光らせる光源と、
記録装置の状態に応じて複数の発光態様の中から選択された１の発光態様で前記光源が発光するよう、前記光源を制御する光制御手段と、
前記当接部材が前記第１当接位置以外の当接位置にあるときに前記第１個別光源を覆うカバーと、
を備えたことを特徴とする、記録装置。
【請求項２】
前記光源が、前記第１個別光源を含む、前記複数の当接位置のそれぞれに対向して配置された複数の個別光源を含み、
前記カバーが、前記複数の個別光源のうち前記当接部材の位置に対応しない個別光源を覆うように、前記搬送方向にスライド可能であることを特徴とする、請求項１に記載の記録装置。
【請求項３】
記録媒体に画像を記録する記録部と、
前記記録部によって記録が行われる記録位置を通るように記録媒体を搬送方向に搬送する搬送部と、
前記搬送部によって搬送された記録媒体が排出される排出部であって、排出された記録媒体を支持する支持面を有する支持部材、及び、前記支持面よりも前記搬送方向の下流側に配置されており、前記支持面に支持される記録媒体における前記搬送方向の下流側端部に当接すると共に、上端が前記支持部材よりも上方に位置する当接部材であって、記録媒体のサイズに応じて前記搬送方向に関して互いに異なる複数の当接位置に配置可能な当接部材、を有する排出部と、
前記複数の当接位置のそれぞれに対向して配置された複数の個別光源を含む、前記当接部材を光らせる光源と、
記録装置の状態に応じて複数の発光態様の中から選択された１の発光態様で前記光源が発光するよう、前記光源を制御する光制御手段と、
前記当接部材の位置を検知するセンサと、
を備え、
前記光制御手段が、前記センサの検知結果に基づいて、前記複数の個別光源のうち前記当接部材の位置に対応する個別光源のみが発光するように、前記光源を制御することを特徴とする、記録装置。
【請求項４】
複数の前記排出部と、
前記複数の排出部のそれぞれの前記当接部材を光らせる複数の前記光源と、を備え、
前記光制御手段が、前記複数の排出部のうち記録媒体が排出される排出部の前記当接部材が光るよう、前記光源を制御することを特徴とする、請求項１〜３のいずれか１項に記載の記録装置。
【請求項５】
前記排出部が、前記記録部及び前記搬送部を収容する筐体の上壁上面に設けられていることを特徴とする、請求項１〜４のいずれか１項に記載の記録装置。
【請求項６】
記録装置の状態を表示する表示部と、
記録装置の状態に応じて複数の表示態様の中から選択された１の表示態様で前記表示部が表示を行うよう、前記表示部を制御する表示制御手段と、をさらに備え、
前記当接部材の上端が前記表示部よりも上方に位置していることを特徴とする、請求項１〜５のいずれか１項に記載の記録装置。
【請求項７】
前記光制御手段が、前記表示制御手段による前記表示部の制御と連動させて、前記光源を制御することを特徴とする、請求項６に記載の記録装置。
【発明の詳細な説明】
【技術分野】
【０００１】
本発明は、記録媒体に画像を記録する記録装置に関する。
【背景技術】
【０００２】
記録装置において、ユーザが記録装置の状態（正常状態、エラー状態等）を把握できるよう、記録装置の状態を表示する表示部を設けるという技術が知られている。例えば特許文献１では、装置上部に表示部１３が設けられている。ユーザは、表示部１３の表示を視認し、記録装置の状態を把握することができる。
【０００３】
【特許文献１】特開平５−１１５２９号公報
【発明の概要】
【発明が解決しようとする課題】
【０００４】
しかしながら、特許文献１の記録装置では、表示部１３が排紙トレイ１２（排出部の支持部材）と略同じ高さにあるため、ユーザが表示部１３の表示を視認し難い場合がある。この問題は、特にユーザが記録装置の遠くにいる場合に顕著に現れる。ユーザが表示部１３の表示を視認し難いと、ユーザが記録装置の状態を把握し難いこととなる。この場合、ユーザは記録装置の状態に応じた適切な作業を行うことができず、ひいては記録装置が故障することも考えられる。
【０００５】
本発明の目的は、ユーザが記録装置の状態を容易に把握することができる、記録装置を提供することである。
【課題を解決するための手段】
【０００６】
上記目的を達成するため、本発明の第１観点によると、記録媒体に画像を記録する記録部と、前記記録部によって記録が行われる記録位置を通るように記録媒体を搬送方向に搬送する搬送部と、前記搬送部によって搬送された記録媒体が排出される排出部であって、排出された記録媒体を支持する支持面を有する支持部材、及び、前記支持部材よりも前記搬送方向の下流側に配置されており、前記支持面に支持される記録媒体における前記搬送方向の下流側端部に当接すると共に、上端が前記支持部材よりも上方に位置する当接部材であって、記録媒体のサイズに応じて前記搬送方向に関して互いに異なる第１当接位置を含む複数の当接位置に配置可能な当接部材、を有する排出部と、前記第１当接位置に対向して配置された第１個別光源を含む、前記当接部材を光らせる光源と、記録装置の状態に応じて複数の発光態様の中から選択された１の発光態様で前記光源が発光するよう、前記光源を制御する光制御手段と、前記当接部材が前記第１当接位置以外の当接位置にあるときに前記第１個別光源を覆うカバーと、を備えたことを特徴とする、記録装置が提供される。
本発明の第２観点によると、記録媒体に画像を記録する記録部と、前記記録部によって記録が行われる記録位置を通るように記録媒体を搬送方向に搬送する搬送部と、前記搬送部によって搬送された記録媒体が排出される排出部であって、排出された記録媒体を支持する支持面を有する支持部材、及び、前記支持面よりも前記搬送方向の下流側に配置されており、前記支持面に支持される記録媒体における前記搬送方向の下流側端部に当接すると共に、上端が前記支持部材よりも上方に位置する当接部材であって、記録媒体のサイズに応じて前記搬送方向に関して互いに異なる複数の当接位置に配置可能な当接部材、を有する排出部と、前記複数の当接位置のそれぞれに対向して配置された複数の個別光源を含む、前記当接部材を光らせる光源と、記録装置の状態に応じて複数の発光態様の中から選択された１の発光態様で前記光源が発光するよう、前記光源を制御する光制御手段と、前記当接部材の位置を検知するセンサと、を備え、前記光制御手段が、前記センサの検知結果に基づいて、前記複数の個別光源のうち前記当接部材の位置に対応する個別光源のみが発光するように、前記光源を制御することを特徴とする、記録装置が提供される。
【０００７】
上記第１及び第２観点によると、上端が支持部材よりも上方に位置する当接部材が、記録装置の状態に応じて異なる態様で光る。したがって、ユーザは、当接部材の光を容易に視認することができ、記録装置の状態を容易に把握することができる。
【０００８】
さらに、上記第１観点によると、複数種類のサイズの記録媒体の記録に対応することができる。また、当接部材が第１当接位置以外の当接位置にあるとき、第１個別光源がカバーで覆われるため、第１個別光源が発する光が外部に漏れ難く、第１個別光源が発する光によって当接部材が光るのが抑制される。これにより、予め定められたサイズ以外の記録媒体の記録時（当接部材が第１当接位置以外の当接位置にあるとき）に当接部材が光らないようにしたり、或いは、当接部材が第１当接位置以外の当接位置にあるときに第１個別光源以外の対応する個別光源が発する光によって当接部材を光らせたりすることができる。ひいては、ユーザが当接部材の位置について混合するのを抑制することができる。即ち、当接部材が第１当接位置以外の当接位置にあるときに第１個別光源が発する光が外部に漏れていると、ユーザは当接部材が第１当接位置にあると勘違いし得る。しかし上記構成によれば、当接部材が第１当接位置以外の当接位置にあるときに第１個別光源が発する光が外部に漏れ難いため、ユーザが上記のように勘違いするのを抑制することができる。
【０００９】
前記光源が、前記第１個別光源を含む、前記複数の当接位置のそれぞれに対向して配置された複数の個別光源を含み、前記カバーが、前記複数の個別光源のうち前記当接部材の位置に対応しない個別光源を覆うように、前記搬送方向にスライド可能であってよい。上記構成によると、カバーをスライドさせるという簡単な操作で、対応する個別光源が発する光によって、当接部材を光らせることができる。
【００１０】
また、上記第２観点によると、複数の個別光源の全てを常時発光させる場合と比較して、省エネである。
【００１１】
本発明の参考例において、前記当接部材が、記録媒体のサイズに応じて、前記搬送方向に関して互いに異なる複数の当接位置に配置可能であり、前記光源が、前記当接部材に対して固定されつつ、前記当接部材と共に移動可能であってよい。上記構成によると、カバーを設けたり、センサの検知結果に基づく光制御手段による制御を行ったりしなくとも、当接部材がどの当接位置にある場合でも、光源が発する光によって当接部材を光らせることができる。
【００１２】
本発明に係る記録装置は、複数の前記排出部と、前記複数の排出部のそれぞれの前記当接部材を光らせる複数の前記光源と、を備え、前記光制御手段が、前記複数の排出部のうち記録媒体が排出される排出部の前記当接部材が光るよう、前記光源を制御してよい。上記構成によると、ユーザは、どの排出部に記録媒体が排出されるか又は排出されたかを、容易に把握することができる。
【００１３】
前記排出部が、前記記録部及び前記搬送部を収容する筐体の上壁上面に設けられてよい。上記構成によると、ユーザは、当接部材の光をより容易に視認することができ、記録装置の状態をより容易に把握することができる。
【００１４】
本発明に係る記録装置は、記録装置の状態を表示する表示部と、記録装置の状態に応じて複数の表示態様の中から選択された１の表示態様で前記表示部が表示を行うよう、前記表示部を制御する表示制御手段と、をさらに備え、前記当接部材の上端が前記表示部よりも上方に位置してよい。上記構成によると、ユーザは、当接部材の光をより容易に視認することができ、記録装置の状態をより容易に把握することができる。
【００１５】
前記光制御手段が、前記表示制御手段による前記表示部の制御と連動させて、前記光源を制御してよい。上記構成によると、ユーザは、当接部材及び表示部の両方によって、記録装置の状態をより容易に把握することができる。
【発明の効果】
【００１６】
本発明によると、上端が支持部材よりも上方に位置する当接部材が、記録装置の状態に応じて異なる態様で光る。したがって、ユーザは、当接部材の光を容易に視認することができ、記録装置の状態を容易に把握することができる。
【図面の簡単な説明】
【００１７】
【図１】本発明の第１実施形態に係るインクジェット式プリンタを示す外観斜視図である。
【図２】プリンタの内部を示す概略側面図である。
【図３】（ａ）は、ストッパユニットを示す斜視図である。（ｂ）は、ストッパユニットの分解斜視図である。（ｃ）は、ストッパを回動させた状態を示す斜視図である。
【図４】（ａ）〜（ｄ）は、ストッパユニットをＡ４用の位置からリーガル用の位置に移動させる際の各部の動きを説明するための斜視図である。（ｅ）は、光源を搭載したＬＥＤ基板を示す斜視図である。
【図５】プリンタの電気的構成を示すブロック図である。
【図６】本発明の第２実施形態に係るインクジェット式プリンタにおける、ストッパユニットの位置を検知するセンサを示す、図４（ｅ）に対応する図である。
【図７】本発明の第２実施形態に係るプリンタの電気的構成を示すブロック図である。
【図８】本発明の参考例に係るインクジェット式プリンタにおいて、ストッパユニットが光源と共にスライドする状況を説明するための説明図である。
【図９】本発明の第３実施形態に係るインクジェット式プリンタを示す外観斜視図である。
【図１０】本発明の第３実施形態に係るインクジェット式プリンタの電気的構成を示すブロック図である。
【発明を実施するための形態】
【００１８】
以下、本発明の好適な実施の形態について、図面を参照しつつ説明する。
【００１９】
先ず、図１及び図２を参照し、本発明の第１実施形態に係るインクジェット式プリンタ１の全体構成について説明する。
【００２０】
プリンタ１は、直方体形状の筐体１ａを有する。筐体１ａの上部には、排紙部１ｅ、及び、液晶ディスプレイ等からなる表示部１ｄが設けられている。排紙部１ｅ及び表示部１ｄは、ユーザが視認可能なように、外部に露出されている。筐体１ａ内の空間（プリンタ１の内部空間）には、図２に破線の太矢印で示すように、給紙ユニット１ｃから排紙部１ｅに向けて、用紙Ｐが搬送される搬送経路が形成されている。
【００２１】
次いで、図２を参照し、プリンタ１の内部空間に配置された各構成要素について説明する。
【００２２】
プリンタ１の内部空間には、液体を吐出する２つのヘッド１０を含むヘッドユニット９、２つのヘッド１０にそれぞれ対応する２つのカートリッジ（図示略）、支持部６０、給紙ユニット１ｃ、用紙Ｐの搬送経路を規定する搬送ユニット５０、及び、プリンタ１各部を制御する制御部１００が配置されている。
【００２３】
ヘッドユニット９は、２つのヘッド１０と、ヘッド１０を支持するメインキャリッジ３ａ及びサブキャリッジ３ｂとを含む。２つのヘッド１０は、用紙Ｐの搬送方向上流側から順に、前処理液を吐出するプレコートヘッド、及び、ブラックインクを吐出するインクジェットヘッドである。
【００２４】
ヘッド１０は、互いに同じ構造であって、主走査方向に長尺なライン型であり、略直方体の外形形状を有する。ヘッド１０は、副走査方向（主走査方向及び鉛直方向と直交する方向）に互いに離隔し、サブキャリッジ３ｂに固定されている。サブキャリッジ３ｂは、メインキャリッジ３ａを介して筐体１ａに支持されている。
【００２５】
ヘッド１０の下面は、多数の吐出口が開口した吐出面１０ａである。ヘッド１０の内部には、カートリッジから供給された前処理液又はブラックインク（以下、これらを「液体」と総称する。）が吐出口に至るまでの流路が形成されている。前処理液は、インクの滲みや裏抜けを防止する機能、インクの発色性や速乾性を向上させる機能等を有する液体である。
【００２６】
支持部６０は、２つのヘッド１０の吐出面１０ａと鉛直方向に対向して配置されている。支持部６０は、ヘッド１０のそれぞれと対向する２つの回転体６３と、各回転体６３の周面に固定されたプラテン６１及び対向部材６２と、回転体６３を回転可能に支持するフレーム１１とを含む。
【００２７】
プラテン６１及び対向部材６２は、共に主走査方向及び副走査方向に関して吐出面１０ａより一回り大きなサイズを有し、且つ、鉛直方向に互いに対向して配置されている。プラテン６１の表面は、吐出面１０ａに対向しつつ用紙Ｐを支持する支持面６１ａである。支持面６１ａには、副走査方向に沿ったリブが多数形成されている。対向部材６２は、水分を透過しない又は透過し難い材料から構成されている。対向部材６２の表面は、平滑であって、吐出面１０ａに対向する対向面６２ａである。
【００２８】
回転体６３が主走査方向に沿った回転軸を中心として回転することにより、支持面６１ａが吐出面１０ａに対向し且つ対向面６２ａが吐出面１０ａに対向しない第１状態（図２の状態）と、支持面６１ａが吐出面１０ａに対向せず且つ対向面６２ａが吐出面１０ａに対向する第２状態（図示略）とが切り換わる。回転体６３は、用紙Ｐに向けて吐出口から液体を吐出して用紙Ｐに画像を記録するときは第１状態、キャッピングを行うときは第２状態となるように、制御部１００により制御される。ここで、キャッピングとは、ヘッド１０の下端周縁から下方に突出したキャップ部材（図示略）の先端を対向面６２ａに当接させることで、吐出面１０ａに対向する空間を外部空間から隔離する動作をいう。
【００２９】
給紙ユニット１ｃは、ヘッドユニット９及び支持部６０の下方であって、筐体１ａ内の最下部に配置されている。給紙ユニット１ｃは、給紙トレイ２０及び給紙ローラ２１を有する。給紙トレイ２０は筐体１ａに対して副走査方向に着脱可能である。給紙トレイ２０は、上面が開口した箱であり、複数種類のサイズの用紙Ｐを収容可能である。給紙ローラ２１は、制御部１００の制御により回転し、給紙トレイ２０内の用紙Ｐのうち最も上方にある用紙Ｐを送り出す。
【００３０】
搬送ユニット５０が規定する搬送経路は、通常搬送に係る経路Ｒ１，Ｒ２，Ｒ３と、再搬送に係る経路Ｔ１，Ｔ２，Ｔ３とを含む。搬送ユニット５０は、経路Ｒ１〜Ｒ３，Ｔ１〜Ｔ３を規定する下記の構成要素、及び、搬送モータ（図示略）を有する。
【００３１】
経路Ｒ１は、給紙ユニット１ｃから記録位置（吐出面１０ａに対向する位置）に至る、主走査方向から見てＵ字状に湾曲した経路であり、ガイド３１ａ、ローラ対２２、ガイド３１ｂ、ローラ対２３、ガイド３１ｃ、ガイド３１ｄ、及びローラ対２４によって規定されている。これら構成要素は、搬送方向上流側からこの順で配置されている。
【００３２】
経路Ｒ２は、２つのヘッド１０の記録位置を通る経路であり、ガイド３２ａ、抑えローラ３３、及びローラ対２５によって規定されている。これら構成要素は、２つのヘッド１０間に配置されている。抑えローラ３３及びローラ対２５は、搬送方向上流側からこの順で配置されている。
【００３３】
経路Ｒ３は、記録位置よりも搬送方向下流側にあり且つ排紙部１ｅに至る、主走査方向から見てＵ字状に湾曲した経路であり、ガイド３２ｂ，３３ａ，３３ｂ、抑えローラ３５、及びローラ対２６，２７，２８によって規定されている。ローラ対２６〜２８は、搬送方向上流側からこの順で配置されている。
【００３４】
経路Ｒ３は、記録位置に対して上側にあると共に、経路Ｒ１とは逆向きに湾曲している。即ち、図２において、経路Ｒ１は左側に膨らむように湾曲しているのに対し、経路Ｒ３は右側に膨らむように湾曲している。これにより、経路Ｒ１〜Ｒ３は全体として逆Ｓ字状となっている。
【００３５】
経路Ｔ１は、鉛直方向下向きの経路であり、ガイド９５ａ及びローラ対９６によって規定されている。経路Ｔ２は、経路Ｒ２とは逆向きの副走査方向に沿った経路であり、ガイド９５ｂ及びローラ対９７によって規定されている。経路Ｔ３は、経路Ｒ１の途中部に至る斜め上向きの経路であり、ガイド９５ｃによって規定されている。
【００３６】
ガイド３１ａ〜３１ｄ，３２ａ，３２ｂ，３３ａ，３３ｂは、用紙Ｐを案内するための案内面を有する部材である。ローラ対２２〜２８は、それぞれ、搬送モータに接続された駆動ローラと、駆動ローラの回転に伴って回転する従動ローラとから構成されている。
【００３７】
次いで、図１及び図２を参照し、排紙部１ｅの構成について説明する。
【００３８】
排紙部１ｅは、支持部材１ｅ１、ガイド部材１ｅ２、及びストッパユニット７１ｕを含む。
【００３９】
支持部材１ｅ１は、筐体１ａの上壁からなり、排出された用紙Ｐを支持する表面（支持面）１ｅ１ａを有する。支持面１ｅ１ａは、搬送方向上流側に向けて（即ち、ガイド部材１ｅ２に向けて）下降するように、水平方向に対して傾斜している。
【００４０】
ガイド部材１ｅ２は、鉛直方向及び主走査方向に延在し、支持面１ｅ１ａよりも搬送方向上流側に配置されている。ガイド部材１ｅ２の裏面（支持部材１ｅ１に対向する面とは反対側の面）は、図２に示すように、経路Ｒ３を規定している。具体的には、ガイド部材１ｅ２の裏面は、ガイド３３ａ，３３ｂの一部を構成している。
【００４１】
ストッパユニット７１ｕは、板状のストッパ７１、及び、ストッパ７１を保持するホルダ７１ｈを含む。ストッパユニット７１ｕは、支持面１ｅ１ａよりも搬送方向下流側に配置されている。ストッパ７１は立設状態において、図２に示すように、上端が支持部材１ｅ１及び表示部１ｄよりも上方に位置し、排紙部１ｅに排出された用紙Ｐが支持面１ｅ１ａ外に飛び出さないよう、用紙Ｐを支持面１ｅ１ａ内に留める機能を有する。即ち、ガイド部材１ｅ２の上端近傍の開口から排出された用紙Ｐは、ストッパ７１に向かい、先端がストッパ７１に当接する。そして用紙Ｐは、先端がストッパ７１に当接した状態で落下し、支持面１ｅ１ａに支持される。ここでいう用紙Ｐの先端とは、支持面１ｅ１ａに支持される用紙Ｐにおける搬送方向の下流側端部である。
【００４２】
次いで、図３及び図４を参照し、ストッパユニット７１ｕの各部の構成について説明する。
【００４３】
ストッパ７１は、図３に示すように、矩形の板状部材であり、例えば用紙Ｐ数百枚分の長辺の長さを有する。ストッパ７１は、樹脂からなり、透明で且つ可撓性を有する。ストッパ７１の短辺側の一端には、軸７１ｘが設けられている。
【００４４】
ホルダ７１ｈは、図３（ｂ）に示すように、ベース７１ｈ１及びキャップ７１ｈ２を含み、軸７１ｘを介してストッパ７１を回転可能に保持している。ベース７１ｈ１の凹部に軸７１ｘを嵌合させることで、ベース７１ｈ１にストッパ７１を組み付け、その後ベース７１ｈ１にキャップ７１ｈ２を組み付けることで、ストッパユニット７１ｕが完成する。
【００４５】
軸７１ｘの両端には、ストッパ７１を付勢する付勢部材７１ｓ１が設けられている（図３（ｂ）参照）。付勢部材７１ｓ１は、ダブルトーションバネであり、２つのコイル部と、２つのコイル部を繋ぐアーム部とを有する。コイル部はそれぞれ軸７１ｘを案内棒とし、アーム部はストッパ７１に当接している。各コイル部の端部はホルダ７１ｈに固定されている。これにより、ストッパ７１は、通常、ホルダ７１ｈから立設した立設状態にある（図１、図２、及び図３（ａ）参照）。ストッパ７１は、ユーザがストッパ７１を付勢部材７１ｓ１の付勢力に抗して押下した場合に、軸７１ｘを中心として回動し、図３（ｃ）に示すような傾倒状態となる。傾倒状態において、ストッパ７１は、上端が搬送方向下流側に位置し、下端が搬送方向上流側に位置している。ストッパ７１を傾倒状態とすることにより、ユーザが支持面１ｅ１ａに支持された用紙Ｐの回収する作業を容易に行うことができる。ストッパ７１は、立設状態では鉛直方向に延在し、傾倒状態では水平方向に延在している。
【００４６】
ベース７１ｈ１には、一対のフック７１ｆ（図３（ａ）参照）が設けられている。各フック７１ｆには、突起７１ｐと、突起７１ｐ及びフック７１ｆを外側に付勢する付勢部材７１ｓ２とが設けられている（図３（ｂ）参照）。付勢部材７１ｓ２は圧縮バネであり、自由長よりも短い状態で取り付けられている。
【００４７】
一対のフック７１ｆは、筐体１ａの上壁に形成された一対の孔１ａＡ又は１ａＢ（図４参照）に挿入される。フック７１ｆを孔１ａＡ又は１ａＢに挿入し、フック７１ｆと孔１ａＡ又は１ａＢを画定する筐体１ａの壁とを係合させることにより、ストッパユニット７１ｕが筐体１ａに対して固定される。この状態において、ユーザが一対の突起７１ｐを付勢部材７１ｓ２の付勢力に抗して突起７１ｐ同士が互いに近づく方向に押すと、フック７１ｆも当該方向に突起７１ｐと共に移動する。これにより、フック７１ｆを孔１ａＡ又は１ａＢから取り外すことができ、ストッパユニット７１ｕを筐体１ａから取り外すことができる。
【００４８】
次いで、図４を参照し、ストッパユニット７１ｕをＡ４用の位置Ａからリーガル用の位置Ｂに移動させる際の各部の動きについて説明する。
【００４９】
ストッパユニット７１ｕは、用紙Ｐのサイズに応じて、図４（ａ）に示すＡ４用の位置Ａ、及び、図４（ｄ）に示すリーガル用の位置Ｂのいずれかに配置することができる。位置Ａは、Ａ４サイズ（２１０ｍｍ×２９７ｍｍ）の用紙Ｐに対して記録を行う場合にストッパユニット７１ｕが配置される位置である。位置Ｂは、リーガルサイズ（２１５．９ｍｍ×２７９．４ｍｍ）の用紙Ｐに対して記録を行う場合にストッパユニット７１ｕが配置される位置である。ストッパユニット７１ｕが位置Ａ，Ｂにあるとき、ストッパ７１と支持面１ｅ１ａにおける搬送方向に関してガイド部材１ｅ２に近い方の端部との間隔は、それぞれ、対応するサイズの用紙Ｐの短辺の長さ（Ａ４サイズの場合は２１０ｍｍ、リーガルサイズの場合は２１５．９ｍｍ）に略等しい。
【００５０】
ストッパユニット７１ｕは、筐体１ａの上壁の上面に形成された凹部１ｙ（図４（ｂ），（ｃ）参照）内にホルダ７１ｈを配置し、フック７１ｆと孔１ａＡ又は１ａＢを画定する筐体１ａの壁とを係合させることにより、筐体１ａに対して固定される。凹部１ｙは、平面視で（鉛直方向から見て）矩形状であり、主走査方向に関してはホルダ７１ｈと略同じ長さであるが、副走査方向に関してはホルダ７１ｈの２〜３倍の長さである。凹部１ｙ内には、ホルダ７１ｈを配置するスペースと、カバー９０を配置するスペースとが設けられている。
【００５１】
カバー９０は、矩形の板状部材であり、主走査方向に関しては凹部１ｙと同じ長さ、副走査方向に関しては凹部１ｙの長さからホルダ７１ｈの長さを差し引いた長さを有する。カバー９０は、凹部１ｙ内において、副走査方向（用紙Ｐの搬送方向）にスライド可能である。
【００５２】
図４（ａ）に示すように、ストッパユニット７１ｕが位置Ａにあるとき、フック７１ｆは孔１ａＡに挿入されている（図４（ｅ）参照）。このとき孔１ａＢは、カバー９０で覆われている。ストッパユニット７１ｕを位置Ａから位置Ｂに移動させる際、ユーザは、先ず、突起７１ｐを押してフック７１ｆを孔１ａＡから取り外し、ストッパユニット７１ｕを筐体１ａから取り外す（図４（ｂ）参照）。そして、カバー９０を位置Ａに向けてスライドさせる（図４（ｃ）参照）。これにより、孔１ａＢが露出され、孔１ａＡがカバー９０で覆われる。その後、カバー９０のスライドによって形成されたスペースに、ホルダ７１ｈを配置する（図４（ｄ）参照）。このとき、フック７１ｆが孔１ａＢに挿入されると共に、ストッパユニット７１ｕが位置Ｂにて筐体１ａに対して固定される。
【００５３】
次いで、図４を参照し、ストッパ７１を光らせる光源８１について説明する。
【００５４】
筐体１ａの上壁の下面における凹部１ｙと対向する部分に、図４（ｅ）に示すように、フレーム８１ｙを介して、ＬＥＤ基板８１ｘが取り付けられている。ＬＥＤ基板８１ｘは、それぞれＬＥＤ（light  emitting  diode）からなる個別光源８１Ａ，８１Ｂを含む、光源８１を搭載している。ＬＥＤ基板８１ｘは、フレーム８１ｙに固定されており、フレーム８１ｙがネジ等で筐体１ａの上壁下面に固定されることにより、筐体１ａに対して固定されている。
【００５５】
個別光源８１Ａ，８１Ｂは、位置Ａ，Ｂのそれぞれに対向して配置されている。図４（ａ）に示すように、ストッパユニット７１ｕが位置Ａにあるとき、個別光源８１Ａはストッパ７１に対向し、個別光源８１Ｂはストッパに対向しない。より具体的には、ストッパユニット７１ｕが位置Ａにあるとき、個別光源８１Ａは立設状態にあるストッパ７１の延長線上に位置している。当該延長線は、ストッパ７１を通って略鉛直方向に延びる線である。これにより、個別光源８１Ａが発する光がストッパ７１に向かうようになっている。このとき個別光源８１Ｂは、カバー９０で覆われている。図４（ｄ）に示すように、ストッパユニット７１ｕが位置Ｂにあるとき、個別光源８１Ｂはストッパ７１に対向し、個別光源８１Ａはストッパに対向しない。より具体的には、ストッパユニット７１ｕが位置Ｂにあるとき、個別光源８１Ｂは立設状態にあるストッパ７１の延長線上に位置している。これにより、個別光源８１Ｂが発する光がストッパ７１に向かうようになっている。このとき個別光源８１Ａは、カバー９０で覆われている。
【００５６】
ストッパ７１は、ストッパ７１に対向して配置された光源８１（個別光源８１Ａ又は８１Ｂ）が発する光によって、光る。ストッパ７１の光具合は、ストッパ７１の光線透過率、表面粗さ、ヘイズ（全光線透過率に対する拡散透過率の比）等に依存する。本実施形態のストッパ７１は、透明な樹脂からなる。透明な樹脂は一般的に光線透過率が８０％以上であるが、表面粗さが小さいと、光が表面を透過してしまい、ストッパ７１の周囲しか光らない。そこで本実施形態のストッパ７１では、表面に凹凸加工（シボ加工）を施すことで、表面粗さを大きくしている。これにより、ストッパ７１の表面で光が拡散し、ストッパ７１の表面が全体的に光るようになっている。
【００５７】
次いで、図５を参照し、制御部１００の構成及び制御部１００によるプリンタ１各部の制御について説明する。
【００５８】
制御部１００は、演算処理装置であるＣＰＵ（Central Processing Unit）に加え、ＲＯＭ（Read Only Memory）、ＲＡＭ（Random Access Memory）、Ｉ／Ｆ（Interface）、Ｉ／Ｏ（Input/Output Port）等を有する。ＲＯＭには、ＣＰＵが実行するプログラム、各種固定データ等が記憶されている。ＲＡＭには、プログラム実行時に必要なデータ（画像データ等）が一時的に記憶される。ＡＳＩＣでは、画像データの書き換え、並び替え等（例えば、信号処理や画像処理）が行われる。Ｉ／Ｆは、外部装置（プリンタ１に接続されたＰＣ等）とのデータ送受信を行う。Ｉ／Ｏは、各種センサの検出信号の入力／出力を行う。制御部１００は、ＲＯＭに記憶されたプログラム等のソフトウェアとＣＰＵ等のハードウェアとが協働して機能することにより、記録制御部１０１、給紙制御部１０２、搬送制御部１０３、光制御部１０４、表示制御部１０５等の各機能部が実現するように構成されている。
【００５９】
記録制御部１０１は、画像データに基づいて用紙Ｐに向けて液体を吐出するように、２つのヘッド１０をそれぞれ制御する。
【００６０】
給紙制御部１０２は、給紙トレイ２０に収容されている用紙Ｐを給紙ローラ２１によって送り出すように、給紙ローラ２１の駆動モータを制御する。
【００６１】
搬送制御部１０３は、搬送経路に沿って用紙Ｐを搬送するように、搬送ユニット５０の搬送モータを制御する。
【００６２】
記録制御部１０１、給紙制御部１０２、及び搬送制御部１０３は、用紙Ｐの搬送とヘッド１０からの液体吐出とを同期させながら、各部の制御を行う。具体的には、給紙制御部１０２の制御により給紙トレイ２０から送り出された用紙Ｐは、搬送制御部１０３の制御により経路Ｒ１，Ｒ２をこの順に通るように搬送され、経路Ｒ２において支持面６１ａ上に支持されつつヘッド１０の真下（記録位置）を順次通過する。このときに、記録制御部１０１の制御によりヘッド１０が駆動し、吐出面１０ａの吐出口から用紙Ｐに向けて液体が吐出されることで、用紙Ｐ上に画像が形成される。その後用紙Ｐは、片面記録の場合、排紙部１ｅに排出される。両面記録の場合、用紙Ｐは、排紙部１ｅに排出されずに後戻りし、経路Ｔ１〜Ｔ３に沿って搬送され、経路Ｒ１の途中部に送り込まれ、再び経路Ｒ２，Ｒ３を通り、裏面に画像が形成された後、排紙部１ｅに排出される。
【００６３】
光制御部１０４は、プリンタ１の状態に応じて、複数の発光態様の中から選択された１の発光態様で光源８１が発光するよう、光源８１を制御する。具体的には、光制御部１０４は、プリンタ１が正常状態のとき、個別光源８１Ａ，８１Ｂが共に緑色に点灯し、プリンタ１がジャム（搬送経路における用紙Ｐの詰まり）等によるエラー状態のとき、個別光源８１Ａ，８１Ｂが共に橙色に点灯するよう、光源８１を制御する。
【００６４】
ストッパユニット７１ｕが位置Ａにあるとき、ストッパ７１は個別光源８１Ａが発する光によって、個別光源８１Ａと同じ発光態様で光る（即ち、緑色又は橙色に点灯する）。このとき個別光源８１Ｂは、個別光源８１Ａと同じ発光態様で発光するが、カバー９０で覆われているため、個別光源８１Ｂが発する光によってストッパ７１が光ることや、個別光源８１Ｂが発する光が外部に漏れることが抑制される。
【００６５】
同様に、ストッパユニット７１ｕが位置Ｂにあるとき、ストッパ７１は個別光源８１Ｂが発する光によって、個別光源８１Ｂと同じ発光態様で光る（即ち、緑色又は橙色に点灯する）。このとき個別光源８１Ａは、個別光源８１Ｂと同じ発光態様で発光するが、カバー９０で覆われているため、個別光源８１Ａが発する光によってストッパ７１が光ることや、個別光源８１Ａが発する光が外部に漏れることが抑制される。
【００６６】
表示制御部１０５は、プリンタ１の状態に応じて、複数の表示態様の中から選択された１の表示態様で、表示部１ｄが表示を行うよう、表示部１ｄを制御する。具体的には、表示制御部１０５は、プリンタ１が正常状態のとき、記録前は記録の条件（記録される用紙Ｐのサイズ、枚数等）を表示したり、記録中は記録される画像のプレビューを表示したりするように、表示部１ｄを制御する。表示制御部１０５は、プリンタ１がエラー状態のとき、エラー状態である旨（『用紙が詰まっています。用紙を取り除いてください。』等）のメッセージを表示するよう、表示部１ｄを制御する。
【００６７】
以上に述べたように、本実施形態に係るプリンタ１によると、図１及び図２に示すように、上端が支持部材１ｅ１よりも上方に位置するストッパ７１が、プリンタ１の状態に応じて異なる態様で光る。したがって、ユーザは、ストッパ７１の光を容易に視認することができ、プリンタ１の状態を容易に把握することができる。
【００６８】
ストッパユニット７１ｕは、図４に示すように、用紙Ｐのサイズに応じて、搬送方向に関して互いに異なる位置Ａ，Ｂに配置可能である。これにより、複数種類（本実施形態では２種類）のサイズの用紙Ｐの記録に対応することができる。また、ストッパユニット７１ｕが位置Ａ又はＢにあるとき、それぞれ、個別光源８１Ｂ又は８１Ａがカバー９０で覆われるため、個別光源８１Ｂ又は８１Ａが発する光が外部に漏れ難く、カバー９０で覆われた個別光源８１Ｂ又は８１Ａが発する光によってストッパ７１が光るのが抑制される。これにより、用紙Ｐのサイズに対応する個別光源８１Ａ又は８１Ｂが発する光によって、ストッパ７１を光らせることができる。ひいては、ユーザがストッパユニット７１ｕの位置について混合するのを抑制することができる。即ち、ストッパユニット７１ｕが位置Ａ又はＢにあるときに個別光源８１Ｂ又は８１Ａが発する光が外部に漏れていると、ユーザはストッパユニット７１ｕが位置Ｂ又はＡにあると勘違いし得る。具体的には、例えば、用紙ＰのサイズがＡ４の場合、ストッパユニット７１ｕは位置Ａに配置されるべきである。しかしながら、個別光源８１Ｂが発する光が外部に漏れていると、ユーザは、ストッパユニット７１ｕが位置Ｂに配置されていると勘違いしてしまい、ストッパユニット７１ｕの位置を確認しなければならず、操作性が悪い。当該問題は、用紙Ｐのサイズがリーガルの場合に、個別光源８１Ａが発する光が外部に漏れていることによっても同様に生じ得る。しかし上記構成によれば、ストッパユニット７１ｕが位置Ａ又はＢにあるときに個別光源８１Ｂ又は８１Ａが発する光が外部に漏れ難いため、ユーザが上記のように勘違いするのを抑制することができる。
【００６９】
光源８１は、位置Ａ，Ｂのそれぞれに対応して配置された個別光源８１Ａ，８１Ｂを含む。カバー９０は、ストッパユニット７１ｕの位置に対応しない個別光源８１Ａ又は８１Ｂを覆うように、副走査方向（用紙Ｐの搬送方向）にスライド可能である。上記構成によると、カバー９０をスライドさせるという簡単な操作で、用紙Ｐのサイズに対応する個別光源８１Ａ又は８１Ｂが発する光によって、ストッパ７１を光らせることができる。
【００７０】
排紙部１ｅが、図１に示すように、筐体１ａの上壁上面に設けられている。上記構成によると、ユーザは、ストッパ７１の光をより容易に視認することができ、プリンタ１の状態をより容易に把握することができる。
【００７１】
ストッパ７１の上端が、図１に示すように、表示部１ｄよりも上方に位置している。上記構成によると、ユーザは、ストッパ７１の光をより容易に視認することができ、プリンタ１の状態をより容易に把握することができる。
【００７２】
光制御部１０４は、表示制御部１０５による表示部１ｄの制御と連動させて、光源８１を制御する。具体的には、プリンタ１がエラー状態のとき、表示制御部１０５は、エラー状態である旨（『用紙が詰まっています。用紙を取り除いてください。』等）のメッセージを表示するよう、表示部１ｄを制御する。このとき、光制御部１０４は、個別光源８１Ａ，８１Ｂが共に橙色に点灯するよう、光源８１を制御する。上記構成によると、ユーザは、ストッパ７１及び表示部１ｄの両方によって、プリンタ１の状態をより容易に把握することができる。
【００７３】
ストッパ７１は、プリンタ１の正面側（図１の左手前側）に配置されている。プリンタ１の正面側とは、表示部１ｄの表示面が向いている方向である。プリンタ１の正面側には、筐体１ａ内に給紙トレイ２０を装着するための開口が設けられている。プリンタ１の正面側は、筐体１ａに対する給紙トレイ２０の装着方向上流側である。上記構成によると、ストッパ７１がプリンタ１のユーザの目の前に配置されていることから、ユーザは、ストッパ７１の光をより容易に視認することができ、プリンタ１の状態をより容易に把握することができる。
【００７４】
ストッパ７１が可撓性を有する。上記構成によると、ストッパ７１に過大な力（ストッパ７１に当接した用紙Ｐによる衝撃荷重、ユーザによる力等）が作用した場合でも、撓みによって力が吸収され、ストッパ７１の破損が抑制される。
【００７５】
続いて、図６及び図７を参照し、本発明の第２実施形態に係るインクジェット式プリンタについて説明する。
【００７６】
本実施形態に係るプリンタは、ストッパユニット７１ｕの位置を検知するセンサ７ＳＡ，７ＳＢを有する点、及び、光制御部１０４がセンサ７ＳＡ，７ＳＢの検知結果に基づいて光源８１を制御する点を除き、第１実施形態に係るプリンタ１と同じ構成を有する。
【００７７】
センサ７ＳＡ，７ＳＢは、図６に示すように、位置Ａ，Ｂのそれぞれに対応する位置に配置されている。センサ７ＳＡ，７ＳＢは、板バネ式であり、ストッパユニット７１ｕのフック７１ｆと接触することで撓む。センサ７ＳＡ，７ＳＢは、板バネが撓んでいるときにＯＮ信号、板バネが撓んでいないときにＯＦＦ信号を、光制御部１０４に出力する。
【００７８】
図６に示すように、ストッパユニット７１ｕが位置Ａにあるとき、センサ７ＳＡは、フック７１ｆと接触することで撓んでおり、ＯＮ信号を光制御部１０４に出力する。このときセンサ７ＳＢは、撓んでおらず、ＯＦＦ信号を光制御部１０４に出力する。ストッパユニット７１ｕが位置Ｂにあるとき、センサ７ＳＢは、フック７１ｆと接触することで撓んでおり、ＯＮ信号を光制御部１０４に出力する。このときセンサ７ＳＡは、撓んでおらず、ＯＦＦ信号を光制御部１０４に出力する。
【００７９】
光制御部１０４は、センサ７ＳＡ，７ＳＢからの信号に基づいて、光源８１を制御する。具体的には、センサ７ＳＡがＯＮ信号、センサ７ＳＢがＯＦＦ信号を出力しているとき（即ち、ストッパユニット７１ｕが位置Ａにあるとき）、個別光源８１Ａのみが発光し、個別光源８１Ｂは発光しないよう、光源８１を制御する。また、センサ７ＳＡがＯＦＦ信号、センサ７ＳＢがＯＮ信号を出力しているとき（即ち、ストッパユニット７１ｕが位置Ｂにあるとき）、個別光源８１Ｂのみが発光し、個別光源８１Ａは発光しないよう、光源８１を制御する。
【００８０】
本実施形態によると、個別光源８１Ａ，８１Ｂの全てを常時発光させる場合と比較して、省エネである。
【００８１】
続いて、図８を参照し、本発明の参考例に係るインクジェット式プリンタについて説明する。
【００８２】
本参考例に係るプリンタは、ストッパユニットの構成、光源が１つのみである点、及び、カバー９０を有さない点を除き、第１実施形態に係るプリンタ１と同じ構成を有する。ストッパユニットの構成において、本参考例では、第１実施形態と異なり、光源を搭載したＬＥＤ基板が、筐体ではなく、ストッパユニットに取り付けられている。
【００８３】
また、本参考例のストッパユニット３７１ｕは、突起７１ｐ及び付勢部材７１ｓ２を有さない点、及び、ホルダ７１ｈの底部の裏面にフレーム３８１ｙを介してＬＥＤ基板３８１ｘが取り付けられている点において、第１実施形態のストッパユニット７１ｕと構成が異なる。ＬＥＤ基板３８１ｘは、１の光源３８１を搭載している。ＬＥＤ基板３８１ｘは、フレーム３８１ｙに固定されており、フレーム３８１ｙがフック７１ｆと係合することで、ホルダ７１ｈに対して固定されている。
【００８４】
筐体１ａには、凹部１ｙ（図４参照）に代えて、一対のスリット１ｓと、一対のスリット１ｓの間に設けられた、透明なプレート等からなる光透過部１ｔとが設けられている。スリット１ｓ及び光透過部１ｔは共に副走査方向に延在している。また、筐体１ａには、第１実施形態に係る孔１ａＡ，１ａＢが形成されていない。
【００８５】
フレーム３８１ｙは、ＬＥＤ基板３８１ｘ及び筐体１ａの上壁を挟んで、ホルダ７１ｈに対向している。光源３８１は、光透過部１ｔに対向する位置に配置されており、光源３８１が発する光が光透過部１ｔを透過し、ストッパ７１が光るようになっている。
【００８６】
ストッパユニット３７１ｕは、スリット１ｓ内にフック７１ｆが挿入された状態で、スリット１ｓに沿って副走査方向にスライド可能である。これにより、ストッパユニット３７１ｕを位置Ａ，Ｂに配置することができる。このとき光源３８１は、ストッパ７１と共に移動する。即ち、光源３８１は、ストッパ７１に対して固定されつつ、ストッパ７１と共に移動可能である。
【００８７】
本参考例によると、第１実施形態のようにカバー９０を設けたり、第２実施形態のようにセンサ７ＳＡ，７ＳＢの検知結果に基づく光制御部１０４による制御を行ったりしなくとも、ストッパ７１が位置Ａ，Ｂのいずれにある場合でも、光源３８１が発する光によってストッパ７１を光らせることができる。
【００８８】
続いて、図９及び図１０を参照し、本発明の第３実施形態に係るインクジェット式プリンタ４０１について説明する。
【００８９】
本実施形態に係るプリンタ４０１は、増設排紙部２ｅが着脱可能である点を除き、第１実施形態に係るプリンタ１と同じ構成を有する。増設排紙部２ｅは、図９に示すように、筐体１ａの上部背面に固定可能である。増設排紙部２ｅは、排紙部１ｅと同様の構成要素（即ち、支持部材１ｅ１と同様の支持部材２ｅ１、ガイド部材１ｅ２と同様のガイド部材２ｅ２、及び、ストッパユニット７１ｕと同様のストッパユニット７２ｕ）を有する。
【００９０】
ストッパユニット７２ｕは、ストッパ７１と同様の板状のストッパ７２、及び、ストッパ７２の軸７２ｘを介してストッパ７２を回動可能に保持するホルダ７２ｈを含む。ホルダ７２ｈは、支持部材２ｅ１の搬送方向下流側端部から延出した延出部（図９では、ホルダ７２ｈに覆われており、示されていない）に対して搬送方向にスライド可能である。即ち、ストッパユニット７２ｕは、着脱可能ではなく、搬送方向にスライド可能である。ストッパユニット７２ｕは、図９に示すＡ４用の位置、及び、この位置からホルダ７２ｈを図９左手前側に引きだす（スライドさせる）ことで、リーガル用の位置に配置可能である。
【００９１】
ストッパ７２を光らせる光源８２（図１０参照）は、ホルダ７２ｈにおける軸７２ｘの近傍に配置されている。光源８２は、ストッパユニット７２ｕに対して固定されており、ストッパユニット７２ｕと共にスライド可能である。
【００９２】
本実施形態において、搬送制御部１０３は、ユーザの選択等により決定された搬送経路に沿って用紙Ｐを搬送するように、搬送ユニット５０の搬送モータを制御する。ユーザが選択する搬送経路とは、給紙ユニット１ｃから排紙部１ｅに向かう経路、及び、給紙ユニット１ｃから増設排紙部２ｅに向かう経路のいずれかである。
【００９３】
光制御部１０４は、排紙部１ｅ及び増設排紙部２ｅのうち用紙Ｐが排出される排紙部のストッパ７１又は７２が光るよう、光源８１，８２を制御する。具体的には、光制御部１０４は、排紙部１ｅに用紙Ｐが排出される場合、光源８１の各個別光源８１Ａ，８1Ｂを発光させ、ストッパ７１を光らせる。光制御部１０４は、増設排紙部２ｅに用紙Ｐが排出される場合、光源８２を発光させることで、ストッパ７２を光らせる。
【００９４】
本実施形態によると、ユーザは、排紙部１ｅ，２ｅのいずれに用紙Ｐが排出されるか又は排出されたかを、容易に把握することができる。
【００９５】
以上、本発明の好適な実施の形態について説明したが、本発明は上述の実施形態に限られるものではなく、特許請求の範囲に記載した限りにおいて様々な設計変更が可能なものである。上述の各実施形態の特徴を任意に組み合わせてよい。
【００９６】
当接部材は、樹脂以外の任意の材料から構成されてもよい。また、当接部材は、板状に限定されず、円錐台形状等、任意の形状を有してよい。また、当接部材は、可撓性を有することに限定されず、剛な部材であってもよい。また、当接部材は、光源が発する光によって光る限りは、透明であることに限定されない。また、当接部材の表面に、凹凸加工（シボ加工）が施されていなくてもよい。また、当接部材は、記録装置の正面側に配置されることに限定されず、記録装置の側面側や背面側に配置されてもよい。また、当接部材は、ストッパ７１のように記録装置の筐体に対して着脱可能であってもよいし、ストッパ７２のように記録装置の筐体に対してスライド可能であってもよい。また、当接部材は、２つの当接位置（上述の実施形態のようなＡ４用の位置Ａ及びリーガル用の位置Ｂ）のみならず、３以上の当接位置に配置可能であってもよい。また、当接部材は、複数の当接位置に配置可能でなく、一定の位置に配置されてもよい。
【００９７】
当接部材の位置を検知するセンサは、板バネ式のセンサ７ＳＡ，７ＳＢに限定されず、任意のセンサ（例えば非接触型の光センサ、磁気センサ、超音波センサ等）であってよい。また、センサは、複数の当接位置のそれぞれに対応する位置に配置されることに限定されず、例えば、複数の当接位置のいくつか（例えば１つ）に対応する位置に配置されてもよい。
【００９８】
カバーは、スライド可能であることに限定されず、例えば、記録装置の筐体に対して着脱可能であってもよい。また、カバーは、特に第２実施形態のように当接部材の位置を検知するセンサの検知結果に基づいて光源を制御する場合に、省略可能である。
【００９９】
光源は、ＬＥＤに限定されず、例えば、ハロゲンランプ、メタルハライドランプ、高圧水銀ランプ等であってもよい。また、光源は、少なくとも１つあればよい。具体的には、当接部材が複数の当接位置に配置可能な場合に、複数の当接位置のそれぞれに対向して光源を設けるのではなく、複数の当接位置のうちの少なくとも１つに対向して光源を設けてもよい。例えば、Ａ４用の位置Ａに対向する光源のみ、又は、リーガル用の位置Ｂに対向する光源のみを設けてもよい。
【０１００】
「発光態様」とは、光の色、光度、点滅の速度や回数、発光のＯＮ／ＯＦＦ等で定義されてよい。「記録装置の状態」とは、上述の実施形態のような正常状態及びエラー状態の他、記録状態（記録媒体に対して記録部が画像を記録している状態）、メンテナンス状態（記録部、搬送部等のメンテナンスを行っている状態）、記録待機状態（記録指令の受信を待っている状態）等をいう。また、「記録装置の状態」とは、記録装置自体の状態（正常状態か、エラー状態か等）に限定されず、記録装置に関連する各部の状態（搬送部による記録媒体の搬送の状態等）であってもよい。例えば、記録面の向き、複数の記録媒体における記録順番等に応じて、発光態様を異ならせてもよい。
【０１０１】
記録装置に含まれる排出部の数は、１以上の任意の数であってよい。記録装置に複数の排出部が含まれる場合、各排出部の構成は、互いに同じであってもよいし、互いに異なってもよい。また、排出部は、排紙部１ｅのように記録装置に対して着脱不能に固定されていてもよいし、増設排紙部２ｅのように記録装置に対して着脱可能であってもよい。また、排出部は、記録装置の筐体の上壁上面に設けられることに限定されず、例えば、筐体の側方に設けられてもよい。また、支持面は、任意の方向に延在してよく、例えば、水平方向に延在してもよい。
【０１０２】
当接部材の上端が表示部よりも下方又は表示部と同じ高さにあってもよい。また、表示部の表示と光源の発光とを連動させなくてもよい。また、表示部を省略してもよい。
【０１０３】
再搬送に係る経路を省略してもよい。また、抑えローラを省略してもよい。また、上述の実施形態のようなローラ搬送方式ではなく、ベルト搬送方式であってもよい。また、搬送経路の構成を任意に変更してよく、例えば、上述の実施形態では通常搬送に係る経路Ｒ１〜Ｒ３が全体として逆Ｓ字状となっているが、通常搬送に係る経路が全体としてＵ字状等であってもよい。
【０１０４】
記録装置に含まれる記録部の数は、１以上の任意の数であってよい。また、記録部は、前処理液やインク以外の任意の液体を吐出してよい。また、記録部は、液体を吐出するもの（上述の実施形態のようなインクジェット方式）に限定されず、例えば、帯電させた感光体にレーザー光等を照射することで感光体上に電気的な潜在画像を形成し、当該潜在画像を記録媒体に転写するもの（レーザー方式）、テープに塗布されたインクを熱によって記録媒体に転写するもの（熱転写方式）等であってもよい。
【０１０５】
記録媒体は、用紙Ｐに限定されず、記録可能な任意の媒体であってよい。記録装置の筐体は、第１筐体と第１筐体に対して移動（例えば回動）可能な第２筐体とから構成されてもよい。本発明は、プリンタに限定されず、ファクシミリやコピー機等にも適用可能である。
【符号の説明】
【０１０６】
１；４０１  インクジェット式プリンタ（記録装置）
１ａ  筐体
１ｅ  排紙部（排出部）
１ｅ１  支持部材
１ｅ１ａ  支持面
１ｄ  表示部
２ｅ  増設排紙部（排出部）
７ＳＡ，７ＳＢ  センサ
１０  ヘッド（記録部）
５０  搬送ユニット（搬送部）
７１；７２  ストッパ（当接部材）
８１；８２；３８１  光源
８１Ａ，８１Ｂ  個別光源
９０  カバー
１０４  光制御部（光制御手段）
１０５  表示制御部（表示制御手段）
Ａ  Ａ４用の位置（当接位置）
Ｂ  リーガル用の位置（当接位置）
Ｐ  用紙（記録媒体）
【図１】
0005915032.tif 000002
【図２】
0005915032.tif 000003
【図３】
0005915032.tif 000004
【図４】
0005915032.tif 000005
【図５】
0005915032.tif 000006
【図６】
0005915032.tif 000007
【図７】
0005915032.tif 000008
【図８】
0005915032.tif 000009
【図９】
0005915032.tif 000010
【図１０】
0005915032.tif 000011